(57)【要約】【課題】所望の機器でＩＤ中継ユニットの状態を表示する技術を提供すること。【解決手段】ＩＤ中継ユニットと通信可能な駅務機器を含む装置（２３）にインストールされ、ＩＤ中継ユニットからの出力信号によりＩＤ中継ユニットの状態を表示するシステム（２４）であって、前記装置の表示部の一部に、ＩＤ中継ユニットの状態をリアルタイムに表示する手段を備えた。【選択図】      図１
2008250958.tif 000002
【特許請求の範囲】
【請求項１】
ＩＤ中継ユニットと通信可能な駅務機器を含む装置にインストールされ、ＩＤ中継ユニットからの出力信号によりＩＤ中継ユニットの状態を表示するシステムであって、
前記装置の表示部の一部に、ＩＤ中継ユニットの状態をリアルタイムに表示する手段を備えたことを特徴とするＩＤ中継ユニット状態表示システム。
【請求項２】
請求項１に記載のＩＤ中継ユニット状態表示システムにおいて、前記表示部に表示する表示内容を規定する設定手段を更に具備することを特徴とするＩＤ中継ユニット状態表示システム。
【請求項３】
請求項２に記載のＩＤ中継ユニット状態表示システムにおいて、前記設定手段は、少なくとも状態表示の優先順位と、ＩＤ中継ユニットの状態コードとを含み、
前記状態コードをＩＤ中継ユニットから受信した場合に、前記優先順位に従って、状態表示を行うことを特徴とするＩＤ中継ユニット状態表示システム。
【請求項４】
請求項１から請求項３のいずれか１項に記載のＩＤ中継ユニット状態表示システムにおいて、前記表示は、前記ＩＤ中継ユニットの状態を、文字色、文字サイズ、及び表示動作を指定して行われることを特徴とするＩＤ中継ユニット状態表示システム。
【発明の詳細な説明】
【技術分野】
【０００１】
本発明は、ＩＤ中継ユニット状態表示システムに関する。
【背景技術】
【０００２】
ＩＤ中継ユニットは、６つの駅（又はコーナ）に設置されている最大で３２台の判定ＩＣモジュールに接続可能である。更に、ＩＤ中継ユニットは、１台の運用サーバと、１台の保守サーバと接続されている。このＩＤ中継ユニットの機能として主に下記の４つの機能が挙げられる。
【０００３】
（１）判定ＩＣモジュールからＩＣカードデータを収集する。  
（２）判定ＩＣモジュールへプログラムデータをダウンロードする。  
（３）運用サーバへ（１）のＩＣカードデータを送信する。  
（４）保守サーバから（２）のプログラムデータをダウンロードする。  
ここで、ＩＤ中継ユニットと、運用サーバ及び保守サーバは、同じ駅に設置されるが、判定ＩＣモジュールは隣接する駅（又は同駅の他のコーナ）にも設置されている。しかし、隣接する駅や、同駅の他のコーナでは、現在のＩＤ中継ユニットの状態を知ることができない。
【０００４】
ＩＤ中継ユニットアプリケーションは他の駅務機器にインストールすることが可能であるため、既に各駅に設置されている駅務機器（自動改札機監視盤やデータ集計機など）にインストールされ運用される場合もある。しかし、ＩＤ中継ユニットアプリケーションがインストールされる駅務機器は、独自の表示画面を持っているため、ＩＤ中継ユニットの画面を表示することができないので、ＩＤ中継ユニットの状態を知ることができない。そのため、ＩＤ中継ユニットには、専用のディスプレイが必要になる。
【０００５】
なお、ＩＤ中継ユニットの状態とは、  
（１）上位サーバ（運用サーバ、保守サーバ）やクライアント機器（判定ＩＣモジュール）との通信状態  
（２）上位サーバやクライアント機器（判定ＩＣモジュール）とのデータ異常状態  
（３）ＩＤ中継ユニット内部処理異常状態  
といった状態を指す。
【０００６】
遠隔で他の機器を監視する観点で、自動改札機のような端末機を端末機を監視するシステムが提案されている（特許文献１参照）。このシステムは、監視装置と端末機との間を１本の通信ラインで接続して、端末機の制御やインターホン処理などの複数の処理を行わせるようにしている。しかし、この技術では、機器を選ぶことなく、更に機能搭載可能で既存のシステムの処理や画面に影響を与えることなくＩＤ中継ユニットの状態を表示させることができない。
【０００７】
上記のように、従来では、  
（１）ＩＤ中継ユニットと隣接する駅に設置されている判定ＩＣモジュールが接続されている場合の隣接する駅側や、  
（２）ＩＤ中継ユニットアプリケーションが他の駅務機器にインストールされた場合
等において、ＩＤ中継ユニットの状態（通信状態・データ処理異常状態など）を知ることができない
【特許文献１】特開２００２−３５８５４８号公報
【発明の開示】
【発明が解決しようとする課題】
【０００８】
本発明は、所望の機器でＩＤ中継ユニットの状態を表示する技術を提供することを目的とする。
【課題を解決するための手段】
【０００９】
本発明の局面に係る発明は、ＩＤ中継ユニットと通信可能な駅務機器を含む装置にインストールされ、ＩＤ中継ユニットからの出力信号によりＩＤ中継ユニットの状態を表示するシステムであって、前記装置の表示部の一部に、ＩＤ中継ユニットの状態をリアルタイムに表示する手段を備えたことを特徴とする。
【発明の効果】
【００１０】
本発明によれば、通信可能な機器であれば、所望の機器でＩＤ中継ユニットの状態を表示することができる。
【発明を実施するための最良の形態】
【００１１】
図面を参照して本発明の実施の形態を説明する。図１は、本発明の一実施形態に係るＩＤ中継ユニット状態表示システムが適用される駅務システムの一例を示す図である。  
図１において、Ａ駅１とＢ駅２のうち、Ａ駅１にＩＤ中継ユニット１５が設置されているものとして、説明する。この場合において、Ｂ駅でＩＤ中継ユニットの状態を表示する例について説明する。なお、改札機監視盤１３（２３）は、それぞれ表示画面１３ａ（２３ａ）を備え、自動改札機１７（２７）に接続され、各駅に設置されているものとする。
【００１２】
図１において、Ａ駅１には、運用サーバ１１と、保守サーバ１２と、改札機監視盤１３と、ＩＤ中継ユニット１５と、判定ＩＣモジュール１６と、自動改札機１７とが配置されている。また、Ｂ駅２には、改札機監視盤２３と、判定ＩＣモジュール２６と、自動改札機２７とが配置されている。なお、Ｂ駅２の改札機監視盤２３には、本発明の一実施形態に係るＩＤ中継ユニット状態表示システム２４（以下、「表示システム」と称する）がインストールされているものとする。そして、該表示システム２４により、画面２３ａの一部に、ＩＤ中継ユニットの状態が表示される。なお、本実施形態に係る表示システム２４は、アプリケーションプログラム（プログラムモジュール）であって、以下の説明では、本実施形態に係る表示システム２４が、改札機監視盤２３にインストールされているものとする。また、表示システム２４は、詳細は後述する設定ファイルも備えており、プログラムモジュールと同様に改札機監視盤２３にインストールされる。
【００１３】
運用サーバ１１は、駅務機器の全体の運用を管理するサーバである。保守サーバ１２は、駅務機器の保守を行うサーバであって、必要なプログラムをＩＤ中継ユニット１５や各端末機器（判定ＩＣモジュール１６など）に供給したり、各端末からの保守データを入力して、管理する。なお、運用サーバ１１と保守サーバ１２は、別々のサーバでなくても良く、１つの運用サーバとして、運用を行っても良い。
【００１４】
ＩＤ中継ユニット１５は、自動改札機１７（２７）からのＩＣカードデータを集計する。なお、図１では、ＩＤ中継ユニット１５には、専用のモニタ（表示装置）が記載されているが、サーバ１１、１２に中継装置の状態を表示させるようにしているのであれば、省略しても良い。改札機監視盤１３（２３）は、自動改札機１７（２７）の磁気データを集計する。
【００１５】
ＩＤ中継ユニット１５に接続されている全ての判定ＩＣモジュール１６（２６）は、自動改札機に搭載されている。そして、ＩＤ中継ユニット１５は、判定ＩＣモジュール１６（２６）からＩＣカードデータ収集処理を行う。そして、例えば、５号機（＃５）の判定ＩＣモジュール２６から異常なデータが送信された場合に、ＩＤ中継ユニット１５は、５号機の判定ＩＣモジュール２６のＩＣカードデータ異常を検出し、改札機監視盤２３にインストールされた表示システム２４に、通信回線（有線でも無線でも良い。また、ＬＡＮでもＷＡＮでも良い）を介して、直接異常コードを通知する。
【００１６】
上記のように構成された本発明の一実施形態に係る表示システムの動作を図２及び図３を参照して説明する。  
まず、図示しない下記のような設定を行う。  
（１）改札機監視盤２３に表示システム２４をインストールする。  
（２）改札機監視盤２３のアプリケーション起動と同時に表示システム２４が起動される。  
（３）表示システム２４が起動すると、ＩＤ中継ユニット１５へ接続要求を出し、ＩＤ中継ユニット１５との接続が確立することにより、通信が行われる。  
上記のように、通信が確立した後に、ＩＤ中継ユニット１５における処理で、異常が発生した場合と、異常が解除された場合の流れを、それぞれ図２と図３を参照して説明する。図２は、異常時の処理の流れを示すフローチャートであり、図３は、異常解除時の処理の流れを示すフローチャートである。
【００１７】
図２を参照して、異常時の処理の流れを説明する。  
まず、ＩＤ中継ユニット１５における処理で異常が発生した場合に、ＩＤ中継ユニット１５は、異常種別を判断して、異常コード（登録）を表示システム２４に送信すると、表示システム２４は、ＩＤ中継ユニット１５からの異常コード（登録）を受信する（ステップＳ１１）。
【００１８】
表示システム２４は、表示システム２４内で保持している異常発生リストに送信された異常コードを登録する（ステップＳ１２）。ここで、異常発生リストに、異常コードが２つ以上登録されているかどうかを判定し（ステップＳ１３）、異常コードが２つ以上登録されていなければ、詳細は後述するシステム設定ファイルを読み込む（ステップＳ１５）。ステップＳ１３において、異常発生リストに２つ以上の異常コードが登録されていない場合には（ステップＳ１３のＹＥＳ）、異常発生リストに登録されている最も優先順位の高い異常コードを判断して（ステップＳ１４）、システム設定ファイルを読み込む（ステップＳ１５）。そして、設定ファイルを読み込み、設定ファイルに登録されている異常処理を行う（ステップＳ１６）。
【００１９】
ステップＳ１６による異常処理により、図４に示すような画面が表示される。図４は、改札機監視盤２３に、本実施形態に係る表示システム２４が、インストールされている場合において、ＩＤ中継ユニット１５の異常時における画面２３ａの表示例を示す図である。図４に示すように、画面２３ａの一部にＩＤ中継ユニット１５の異常表示部２３ｂを設け、異常表示（この場合は、「送信ＩＣ異常」の表示）を行っている。
【００２０】
ここで、表示としては、様々な表示が可能である。図５は、異常表示部２３ｂに表示される異常表示の表示例を示す図である。図５において、（ａ）は正常時であり、何も表示しない。（ｂ）は５号機と７号機の収集ＩＣカードデータが異常であることを示している。また、（ｃ）から（ｅ）は、それぞれ、ＩＤ管理液サーバの通信異常、ＩＤ中継ユニットＨＷ異常、及び送信ＩＣカードデータ異常を示している。
【００２１】
上記のＩＤ中継ユニット１５の異常表示方法や表示形態は、設定ファイルによって決定される。図６は、設定ファイルの構成例を示す図である。設定ファイルには、下記のような項目が設定可能であり、画面２３ａへの表示は、ＩＤ中継ユニット１５からの情報を受信することによる割り込みによって行われるものとする。ここで、設定ファイルには、  
・表示位置  
・優先順位  
・画面表示文言  
・画面表示色  
・画面表示サイズ  
・画面表示動作（ブリンクなど）  
等が定義され、その定義に応じて画面２３ａに所定の表示が行われる。例えば、図６によれば、最も優先順位の高いものが、異常コード「１００１ＮＮ」に対して「＃Ｎ  ＩＣ異常」が定義されており、この異常コードをＩＤ中継ユニット１５から受け取った場合に、背景色「ｆｆ００００」、文字色「ｆｆｆｆｆｆ」、文字サイズ「１５０，４０」、表示動作「１」で「１０，１０」の位置に表示されることを表している。この場合において、例えば、上記の「＃Ｎ  ＩＣ異常」の設定は、背景を赤色とし、文字色を白抜きとして、１５０×４０の文字サイズで、ブリンクさせることを示すものとする。なお、この背景色などのコードについては、適宜定義しておくことにより様々なコードを設定することができる。
【００２２】
次に、図３を参照して、異常解除時の処理の流れを説明する。  
まず、ＩＤ中継ユニット１５における処理で異常解除が検出された場合に、ＩＤ中継ユニット１５は、異常種別を判断して、異常コード（解除）を表示システム２４に送信すると、表示システム２４は、ＩＤ中継ユニット１５からの異常コード（解除）を受信する（ステップＳ２１）。
【００２３】
表示システム２４は、表示システム２４内で保持している異常発生リストに送信された異常コードを解除する（ステップＳ２２）。ここで、異常発生リストに、異常コードが２つ以上登録されているかどうかを判定し（ステップＳ２３）、異常コードが２つ以上登録されていなければ、詳細は後述するシステム設定ファイルを読み込む（ステップＳ２５）。ステップＳ２３において、異常発生リストに２つ以上の異常コードが登録されていない場合には（ステップＳ２３のＹＥＳ）、異常発生リストに登録されている最も優先順位の高い異常コードを判断して（ステップＳ２４）、システム設定ファイルを読み込む（ステップＳ２５）。そして、設定ファイルを読み込み、設定ファイルに登録されている前述した異常処理を行う（ステップＳ２６）。
【００２４】
なお、本実施形態に係る表示システムの終了は、改札機監視盤２３の使用するＯＳの終了時でも良いし、他のプリケーションの終了に併せて終了するようにしても良い。
【００２５】
上記のように、本実施形態に係る表示システムは、アプリケーションプログラムを通信回線でＩＤ中継サーバと通信可能な機器にインストールすることにより、導入される。そして、設定ファイルを参照して、ＩＤ中継ユニットから異常信号が出力されると、優先順位に従って、ＩＤ中継ユニットの異常に係る状態を表示する。
【００２６】
上記のように、本表示システムの画面は、異常コードによって設定ファイルで定義された画面位置の最前面に指定されたサイズで表示するので、本表示システムを搭載したパソコン画面の邪魔になることなく表示させることができる。そして、ＩＤ中継ユニットとの通信機能を有する駅務機器やＰＣならば、機種を選ぶことなく本機能を有効に使用できるので、ＩＤ中継ユニット１５が設置されていない駅でＩＤ中継ユニット１５の状態を知ることができる。
【００２７】
また、ＩＤ中継ユニット１５から送信された異常によって表示動作や表示文言を変更することができる用になっている。すなわち、ＩＤ中継ユニット１５から異常通知時にあらかじめ定義された設定ファイルを読込み、通知された異常によって表示動作・表示文言・画面表示サイズや色などを変更することができる。
【００２８】
これにより、異常の重大度によりリアルタイムにＩＤ中継ユニット１５状態表示を変更することができる。複数の異常が同時に起きた場合は、より重大な異常を表示することができる。すなわち、異常の重大度によって画面表示動作を変更することができる。  
また、異常が解除された場合も、リアルタイムに本表示システムに異常解除が通知され異常表示を解除することができる。この場合においても、複数の異常が、ある場合には、より重大な異常を表示することができるようになっている。
【００２９】
上記のように、本実施形態によれば、ＩＤ中継ユニットが設置されていない駅やＩＤ中継ユニットアプリケーションがインストールされていない機器でＩＤ中継ユニットの状態を知ることができる。また、ＩＤ中継ユニットから通知された異常によって画面表示動作や、表示内容を変更することができる。
【００３０】
なお、通信可能な駅務機器やＰＣならば、機種を選ぶことなく本システムを導入可能であり、また、ＩＤ中継ユニットとの通信機能を独立させているので、本表示システムで使用可能な通信機能が搭載されている駅務機器やＰＣであればどの機器でもインストール可能である。
【００３１】
また、本システムは、プログラムモジュールとして提供されるので、機器の制御などに使用するプログラムを変更することなくＩＤ中継ユニットの状態を知ることができる。更に、独立した機能としてＩＤ中継ユニットと通信を行うため、既存の機器の動作に影響することはない。
【００３２】
また、本システムは設定ファイルによって画面表示位置や画面表示背景色や画面表示サイズを指定することができる用にしているので、本システムをインストールした機器の画面に影響を与えることなくＩＤ中継ユニットの状態を表示することができる。
【００３３】
本発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【００３４】
また、例えば各実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３５】
【図１】本発明の一実施形態に係るＩＤ中継ユニット状態表示システムが適用される駅務システムの一例を示す図である。
【図２】本発明の一実施形態に係る表示システムの動作を示すフローチャートである。
【図３】本発明の一実施形態に係る表示システムの動作を示すフローチャートである。
【図４】改札機監視盤２３に、本実施形態に係る表示システム２４が、インストールされている場合において、ＩＤ中継ユニット１５の異常時における画面２３ａの表示例を示す図である。
【図５】異常表示部２３ｂに表示される異常表示の表示例を示す図である。
【図６】設定ファイルの構成例を示す図である。
【符号の説明】
【００３６】
１…Ａ駅
２…Ｂ駅
１１…運用サーバ
１２…保守サーバ
１３…改札機監視盤
１３ａ…表示画面
１５…ＩＤ中継ユニット
１６…ＩＣモジュール
１７…自動改札機
２３…改札機監視盤
２３ａ…画面
２３ｂ…異常表示部
２４…ＩＤ中継ユニット状態表示システム
２６…ＩＣモジュール
２７…自動改札機
【図１】
2008250958.tif 000003
【図２】
2008250958.tif 000004
【図３】
2008250958.tif 000005
【図４】
2008250958.tif 000006
【図５】
2008250958.tif 000007
【図６】
2008250958.tif 000008